(57)【要約】      （修正有）【課題】太陽電池パネルユニットを固定するパネル取付具を提供する。【解決手段】第１及び第２パネル連結体２、３の各連結平板部１０、２０を第１及び第２締結体でパネルユニットに固定する。第１及び第２パネル連結体２、３の各固定平板部１１、２１を固定締結体でパネル取付体１に固定する。各パネルユニットを第１及び第２パネル連結体２、３、第１及び第２締結体及び固定締結体でパネル取付体１に固定する。【選択図】図３６
0003180209.tif 000002
【実用新案登録請求の範囲】
【請求項１】
パネル、及び前記パネル外縁を支持するパネル枠を含んでなり、前記パネル枠は前記パネルに平行配置される枠平板部を有するパネルユニットにおいて、
一のパネルユニット及び他の一のパネルユニットを固定するパネル取付具であって、
［Ａ］取付表平面及び取付裏平面を平行配置するパネル取付体と、
［Ｂ］連結表平面及び連結裏平面を平行配置する第１連結平板部、及び第１固定板部を連続して有し、前記連結表平面を前記一のパネルユニットの前記枠平板部に当接して平行配置する第１パネル連結体と、
［Ｃ］連結表平面及び連結裏平面を平行配置する第２連結平板部、及び第２固定板部を連続して有し、前記連結表平面を前記他の一のパネルユニットの前記枠平板部に当接して平行配置する第２パネル連結体と、
［Ｄ］前記第１連結平板部及び前記枠平板部を挿通する第１連結ボルト、及び前記第1連結ボルトに螺着される第１連結ナットを有し、前記第１パネル連結体を前記一のパネルユニットに固定する第１締結体と、
［Ｅ］前記第２連結平板部及び前記枠平板部を挿通する第２連結ボルト、及び前記第２連結ボルトに螺着される第２連結ナットを有し、前記第２パネル連結体を前記他の一のパネルユニットに固定する第２締結体と、
［Ｆ］固定ボルト及び固定ナットを有し、前記固定ボルトは前記パネル取付体に固定され、前記取付表平面から突出する固定締結体と、
を含んで構成され、
［Ｇ］前記第１パネル連結体において、
前記第１連結平板部は、前記連結裏平面を前記取付表平面に当接して、前記パネル取付体に平行配置され、
前記第１固定板部は、前記取付表平面上に配置され、
［Ｈ］前記第２パネル連結体において、
前記第２連結平板部は、前記連結裏平面を前記取付表平面に当接して、前記パネル取付体に平行配置され、
前記第２固定板部は、前記第１固定板部上に重ね配置され、
［Ｉ］前記固定締結体において、
前記固定ボルトは、前記重ね配置した各固定板部を挿通して、前記第２固定板部から突出され、
前記固定ナットは、前記突出する固定ボルトに螺着され、前記重ね配置した第２固定板部に当接して前記固定ボルトとで前記第１及び第２パネル連結体を前記パネル取付体に固定する
ことを特徴とするパネル取付具。
【請求項２】
一のパネル及び他の一のパネルを固定するパネル取付具であって、
［ａ］取付表平面を有するパネル取付体と、
［ｂ］連結表平面及び連結裏平面を平行配置する第１連結平板部、及び第１固定板部を連続して有し、前記連結表平面を前記一のパネルに当接して平行配置する第１パネル連結体と、
［ｃ］連結表平面及び連結裏平面を平行配置する第２連結平板、及び第２固定板部を連続して有し、前記連結表平面を前記他の一のパネルに当接して平行配置する第２パネル連結体と、
［ｄ］前記第１連結平板部及び前記一のパネルを挿通する第１連結ボルト、及び前記第1連結ボルトに螺着される第１連結ナットを有し、前記第１パネル連結体を前記一のパネルに固定する第１締結体と、
［ｅ］前記第２連結平板部及び前記他の一のパネルを挿通する第２連結ボルト、及び前記第２連結ボルトに螺着される第２連結ナットを有し、前記第２パネル連結体を前記他の一のパネルに固定する第２締結体と、
［ｆ］固定ボルト及び固定ナットを有し、前記固定ボルトは前記パネル取付体に固定され、前記取付表平面から突出する固定締結体と、
を含んで構成され、
［ｇ］前記第１パネル連結体において、
前記第１連結平板部は、前記連結裏平面を前記取付表平面に当接して、前記パネル取付体に平行配置され、
前記第１固定板部は、前記取付表平面上に配置され、
［ｈ］前記第２パネル連結体において、
前記第２連結平板部は、前記連結裏平面を前記取付表平面に当接して、前記パネル取付体に平行配置され、
前記第２固定板部は、前記第１固定板部上に重ね配置され、
［ｉ］前記固定締結体において、
前記固定ボルトは、前記重ね配置した各固定板部を挿通して、前記第２固定板部から突出され、
前記固定ナットは、前記突出する固定ボルトに螺着され、前記重ね配置した前記第２固定板部に当接して前記固定ボルトとで前記第１及び第２パネル連結体を前記パネル取付体に固定する
ことを特徴とするパネル取付具。
【請求項３】
［ｊ］前記第１パネル連結体において、
前記第１連結平板部は、前記連結表平面及び前記連結裏平面間で板厚を有し、
［ｋ］前記第２パネル連結体において、
前記第２連結平板部は、前記連結表平面及び前記連結裏平面間で、前記第１連結平板部と同一板厚を有する
ことを特徴とする請求項１又は２に記載のパネル取付具。
【考案の詳細な説明】
【技術分野】
【０００１】
本考案は、パネルユニット（太陽電池パネルユニット等）を固定するパネル取付具に関する。
【背景技術】
【０００２】
太陽電池パネルユニットを固定する技術として、特許文献１は、太陽光パネル用架台を開示する。太陽光パネル用架台は、抑え金具及び架台フレーム間に太陽光モジュールを配置し、ボルト／ナットで抑え金具及を締付けて、抑え金具及び架台フレームで太陽光モールを挟持固定する。
【０００３】
特許文献１では、ボルト／ナットが緩むと、太陽光モジュールが架台レールから外れる虞がある。
【先行技術文献】
【特許文献】
【０００４】
【特許文献１】実用新案登録第３１７１８２４号
【考案の概要】
【考案が解決しようとする課題】
【０００５】
本考案は、パネルユニット（太陽電池パネルユニット等）を確実に固定できるパネル取付具を提供することである。
【課題を解決するための手段】
【０００６】
本考案に係る請求項１は、パネル、及び前記パネル外縁を支持するパネル枠を含んでなり、前記パネル枠は前記パネルに平行配置される枠平板部を有するパネルユニットにおいて、一のパネルユニット及び他の一のパネルユニットを固定するパネル取付具であって、取付表平面及び取付裏平面を平行配置するパネル取付体と、連結表平面及び連結裏平面を平行配置する第１連結平板部、及び第１固定板部を連続して有し、前記連結裏平面を前記一のパネルユニットの前記枠平板部に当接して平行配置する第１パネル連結体と、連結表平面及び連結裏平面を平行配置する第２連結平板部、及び第２固定板部を連続して有し、前記連結裏平面を前記他の一のパネルユニットの前記枠平板部に当接して平行配置する第２パネル連結体と、前記第１連結平板部及び前記枠平板部を挿通する第１連結ボルト、及び前記第１連結ボルトに螺着される第１連結ナットを有し、前記第１パネル連結体を前記一のパネルユニットに固定する第１締結体と、前記第２連結平板部及び前記枠平板部を挿通する第２連結ボルト、及び前記第２連結ボルトに螺着される第２連結ナットを有し、前記第２パネル連結体を前記他の一のパネルユニットに固定する第２締結体と、固定ボルト及び固定ナットを有し、前記固定ボルトは前記パネル取付体に固定され、前記取付表平面から突出する固定締結体と、を含んで構成され、前記第１パネル連結体において、前記第１連結平板部は、前記連結裏平面を前記取付表平面に当接して、前記パネル取付体に平行配置され、前記第１固定板部は、前記取付表平面上に配置され、前記第２パネル連結体において、第２連結平板部は、前記連結表平面を前記取付表平面に当接して、前記パネル取付体に平行配置され、前記第２固定板部は、前記固定板部上に重ね配置され、前記固定締結体において、前記固定ボルトは、前記重ね配置した各固定板部を挿通して、前記第２固定板部から突出され、前記固定ナットは、前記突出する固定ボルトに螺着され、前記第２固定板部に当接して前記固定ボルトとで前記第１及び第２パネル連結体を前記パネル取付体に固定することを特徴とするパネル取付具に関する。
【０００７】
本考案に係る請求項２は、一のパネル及び他の一のパネルを固定するパネル取付具であって、取付表平面を有するパネル取付体と、連結表平面及び連結裏平面を平行配置する第１連結平板部、及び第１固定板部を連続して有し、前記連結表平面を前記一のパネルに当接して平行配置する第１パネル連結体と、連結表平面及び連結裏平面を平行配置する第２連結平板部、及び第２固定板部を連続して有し、前記連結表平面を前記他の一のパネルに当接して平行配置する第２パネル連結体と、前記第１連結平板部及び前記一のパネルを挿通する第１連結ボルト、及び前記第１連結ボルトに螺着される第１連結ナットを有し、前記第１パネル連結体を前記一のパネルに固定する第１締結体と、前記第２連結平板部及び前記他の一のパネルを挿通する第２連結ボルト、及び前記第２連結ボルトに螺着される第２連結ナットを有し、前記第２パネル連結体を前記他の一のパネルに固定する第２締結体と、固定ボルト及び固定ナットを有し、前記固定ボルトは前記パネル取付体に固定され、前記取付表平面から突出する固定締結体と、を含んで構成され、前記第１パネル連結体において、前記第１連結平板部は、前記連結裏平面を前記取付表平面に当接して、前記パネル取付体に平行配置され、前記第１固定板部は、前記取付表平面上に配置され、前記第２パネル連結体において、前記第２連結平板部は、前記連結裏平面を前記取付表平面に当接して、前記パネル取付体に平行配置され、前記第２固定板部は、前記第１固定板部上に重ね配置され、前記固定締結体において、前記固定ボルトは、前記重ね配置した各固定板部を挿通して、前記第２固定板部から突出され、前記固定ナットは、前記突出する固定ボルトに螺着され、前記第２固定板部に当接して前記固定ボルトとで前記第１及び第２パネル連結体を前記パネル取付体に固定することを特徴とするパネル取付具に関する。
【０００８】
本考案に係る請求項３は、前記第１パネル連結体において、前記第１連結平板部は、前記連結表平板及び前記連結裏平面間で板厚を有し、前記第２パネル連結体において、前記第２連結平板部は、前記連結表平面及び前記連結裏平面間で、前記第１連結平板部と同一板厚を有することを特徴とする請求項１又は２に記載のパネル取付具に関する。
【考案の効果】
【０００９】
本考案に係る請求項１では、第１及び第２締結体は、第１及び第２連結ボルト及び第１及び第２連結ナットで第１及び第２連結平板部及び各パネルユニットの枠平板部を締結（締付）することで、第１及び第２パネル連結体を各パネルユニットに固定する。第１及び第２連結ボルトは、第１及び第２連結平板部及び各枠平板部を挿通している。これにより、第１及び第２締結体において、各連結ボルト及び各連結ネットの締結が緩んでも、第１及び第２パネル連結体を各パネルユニットに保持でき、各パネルユニットの外れを抑制できる。また、固定締結体は、固定ボルト及び固定ナットで重ね配置した各固定板部を締結（締付）することで、第１及び第２パネル連結体をパネル取付体に固定する。固定ボルトは、重ね配置した各固定板部を挿通している。これにより、固定締結体において、固定ボルト及び固定ナットの締結が緩んでも、第１及び第２パネル連結体をパネル取付体に保持でき、各パネルユニットの外れを抑制できる。
請求項１では、第１及び第２パネル連結体において、第１及び第２連結平板部は、各パネルユニットの枠平板部及びパネル取付体の取付表表面に平行配置されるので、各パネルユニットのパネルは、取付表平面（パネル取付体）に平行して配置できる。
請求項１では、第１及び第２パネル連結体において、第１及び第２固定板部を重ね配置し、固定締結体の固定ボルト及び固定ナットでパネル取付体に固定しているので、固定ナットを固定ボルトから取外すことで、各パネルユニットを取外すことができる。一のパネルユニットの取外しは、他の一のパネルユニットを取外すことなくできる。
請求項１では、第１及び第２パネル連結体において、第１及び第２固定板部を重ね配置するので、各パネルユニット間の間隔を抑制して、各パネルユニットを固定できる。
【００１０】
本考案に係る請求項２では、第１及び第２締結体は、第１及び第２連結ボルト及び第１及び第２連結ナットで第１及び第２連結平板部及び各パネルを締結（締付）することで、第１及び第２パネル連結体を各パネルに固定する。第１及び第２連結ボルトは、第１及び第２連結平板部及び各パネルを挿通している。これにより、第１及び第２締結体において、各連結ボルト及び各連結ネットの締結が緩んでも、第１及び第２パネル連結体を各パネルに保持でき、各パネルの外れを抑制できる。また、固定締結体は、固定ボルト及び固定ナットで重ね配置した各固定板部を締結（締付）することで、第１及び第２パネル連結体をパネル取付体に固定する。固定ボルトは、重ね配置した各固定板部を挿通している。これにより、固定締結体において、固定ボルト及び固定ナットの締結が緩んでも、第１及び第２パネル連結体をパネル取付体に保持でき、各パネルの外れを抑制できる。
請求項２では、第１及び第２パネル連結体において、第１及び第２連結平板部は、各パネル及びパネル取付体の取付表表面に平行配置されるので、各パネルは、取付表平面（パネル取付体）に平行して配置できる。
請求項２では、第１及び第２パネル連結体において、第１及び第２固定板部を重ね配置し、固定締結体の固定ボルト及び固定ナットでパネル取付体に固定しているので、固定ナットを固定ボルトから取外すことで、各パネルを取外すことができる。一のパネルの取外しは、他の一のパネルを取外すことなくできる。
請求項２では、第１及び第２パネル連結体において、第１及び第２固定板部を重ね配置するので、各パネル間の間隔を抑制して、各パネルを固定できる。
【００１１】
本考案に係る請求項３では、第１及び第２パネル連結体において、第１及び第２連結平板部は、連結表平面及び連結表平面間で同一板厚を有するので、各パネルを取付表平面に平行する同一平面上に配置できる。
【図面の簡単な説明】
【００１２】
【図１】第１実施形態のパネル取付具の構成を示す構成図である。
【図２】第１実施形態のパネル取付具を構成するパネル取付体であって、（ａ）は平面図、（ｂ）は図２（ａ）のＡ−Ａ断面図である。
【図３】第１実施形態のパネル取付具を構成する第１パネル連結体であって、（ａ）は平面図、（ｂ）は側面図、（ｃ）は図３（ａ）のＢ−Ｂ断面図である。
【図４】第１実施形態のパネル取付具を構成する第２パネル連結体であって、（ａ）は平面図、（ｂ）は側面図、（ｃ）は図３（ａ）のＣ−Ｃ断面図である。
【図５】第２実施形態のパネル取付具の構成を示す構成図である。
【図６】第２実施形態のパネル取付具の構成する補足平板体であって、（ａ）は、平面図、（ｂ）は図６（ａ）のＤ−Ｄ断面図である。
【図７】第３実施形態のパネル取付具の構成を示す構成図である。
【図８】太陽電池パネル組立体、及び太陽電池アレイを示す平面図である。
【図９】太陽電池パネルユニットであって、（ａ）は平面図、（ｂ）は裏面図、（ｃ）は図９（ａ）のＥ−Ｅ断面図である。
【図１０】第１乃至第３実施形態のパネル取付具を構成するパネル取付体であって、各パネル取付体の配置を示す平面図である。
【図１１】第１乃至第３実施形態のパネル取付具を構成するパネル取付体であって、各パネル取付体に固定ボルトを固定した平面図である。
【図１２】固定ボルトをパネル取付体に固定する図（第1工程）であって、（ａ）は平面図、（ｂ）は図１２（ａ）のＦ−Ｆ断面図である。
【図１３】第１実施形態のパネル取付具において、第１及び第２パネル連結体を太陽電池パネルユニットに固定する平面図（第３工程）である。
【図１４】第１実施形態のパネル取付具において、第１パネル連結体を太陽電池パネルユニットに固定する図（第３工程）であって、（ａ）は拡大平面図、（ｂ）は図１４（ａ）のＧ−Ｇ矢視図である。
【図１５】第１実施形態のパネル取付具において、第２パネル連結体を太陽電池パネルユニットに固定する図（第３工程）であって、（ａ）は拡大平面図、（ｂ）は図１５（ａ）のＨ−Ｈ矢視図である。
【図１６】第１実施形態のパネル取付具において、第１及び第２パネル連結体を太陽パネルユニットに固定する平面図（第４工程）である。
【図１７】第１実施形態のパネル取付具において、第１パネル連結体を太陽電池パネルユニットに固定する図（第４工程）であって、（ａ）は拡大平面図、（ｂ）は図１７（ａ）のＩ−Ｉ矢視図である。
【図１８】第１実施形態のパネル取付具において、第２パネル連結体を太陽電池パネルユニットに固定する図（第４工程）であって、（ａ）は拡大平面図、（ｂ）は図１８（ａ）のＪ−Ｊ矢視図である。
【図１９】第２実施形態のパネル取付具において、選択パネル連結体を太陽電池パネルユニットに固定する平面図（第５工程）である。
【図２０】第２実施形態のパネル取付具において、選択パネル連結体を太陽電池パネルユニットに固定する図（第５工程）であって、（ａ）は拡大平面図、（ｂ）は図２０（ａ）のＫ―Ｋ矢視図である。
【図２１】第３実施形態のパネル取付具において、選択パネル連結体を太陽電池パネルユニットに固定する平面図（第６工程）である。
【図２２】第３実施形態のパネル取付具において、選択パネル連結体を太陽電池パネルユニットに固定する図（第６工程）であって、（ａ）は拡大平面図、（ｂ）は図２２（ａ）のＬ−Ｌ矢視図である。
【図２３】下段・太陽電池パネルユニットを各パネル取付体に配置する平面図（第７工程）である。
【図２４】第３実施形態のパネル取付具において、補足平板体をパネル取付体に配置する図（第７工程）であって、（ａ）は拡大平面図、（ｂ）は図２４（ａ）のＭ−Ｍ矢視図である。
【図２５】第１実施形態のパネル取付具において、下段・太陽電池パネルユニットの第１パネル連結体をパネル取付体に配置する図（第７工程）であって、（ａ）は拡大平面図、（ｂ）は図２５（ａ）のＮ−Ｎ矢視図である。
【図２６】第３実施形態のパネル取付具において、下段・太陽電池パネルユニットの選択パネル連結体をパネル取付体に配置する図（第７工程）であって、（ａ）は拡大平面図（ｂ）は図２６（ａ）のＯ−Ｏ矢視図である。
【図２７】上段・太陽電池パネルユニットを各パネル取付体に配置する平面図（第８工程）である。
【図２８】第２実施形態のパネル取付具において、上段・太陽電池パネルユニットの選択パネル連結体をパネル取付体に配置する図（第８工程）であって、（ａ）は拡大平面図、（ｂ）は図２８（ａ）のＰ−Ｐ矢視図である。
【図２９】第１実施形態のパネル取付具において、上段・太陽電池パネルユニットの第１パネル連結体をパネル取付体に配置する図（第８工程）であって、（ａ）は拡大平面図、（ｂ）は図２９（ａ）のＱ−Ｑ矢視図である。
【図３０】中段・太陽電池パネルユニットを各パネル取付体に配置する平面図（第９工程）である。
【図３１】第１実施形態のパネル取付具において、中段・太陽電池パネルユニットの第２パネル連結体を下段・太陽電池パネルユニットの第１パネル連結体に配置する拡大平面図（第９工程）である。
【図３２】図３１のＲ−Ｒ矢視図である。
【図３３】第１実施形態のパネル取付具において、中段・太陽電池パネルユニットの第２パネル連結体を上段・太陽電池パネルユニットの第１パネル連結体に配置する拡大平面図である。
【図３４】図３３のＳ−Ｓ矢視図である。
【図３５】第１実施形態のパネル取付具において、下段及び中段・太陽電池パネルユニットの第１及び第２パネル連結体をパネル取付体に固定する拡大平面（第１０工程）である。
【図３６】図３５のＴ−Ｔ矢視図である。
【図３７】第１実施形態のパネル取付具において、中段及び上段・太陽電池パネルユニットの第１及び第２パネル連結体をパネル取付体に固定する拡大平面図（第１０工程）である。
【図３８】図３７のＵ−Ｕ矢視図である。
【図３９】第２実施形態のパネル取付具において、上段・太陽電池パネルユニットの選択パネル連結体をパネル取付体に固定する図（第１０工程）であって、（ａ）は拡大平面図、（ｂ）は図３９（ａ）のＶ−Ｖ矢視図である。
【図４０】第３実施形態のパネル取付具において、下段・太陽電池パネルユニットの選択パネル連結体をパネル取付体に固定する図（第１０工程）であって、（ａ）は拡大平面図、（ｂ）は図４０（ａ）のＷ−Ｗ矢視図である。
【図４１】太陽電池アレイ組立体を設置する図であって、（ａ）は家屋の屋根の側面図、（ｂ）はビルの側面図である。
【図４２】建材パネルの図であって、（ａ）は平面図、（ｂ）は図４２（ａ）のＸ−Ｘ矢視図である。
【図４３】建材パネル組立体、建材パネルアレイを示す平面図である。
【図４４】第１実施形態のパネル取付具において、第１及び第２パネル連結体を各建材パネル及連結体に固定する図である。
【図４５】選択パネル連結体を建材パネルに固定する図であって、（ａ）は第２実施形態のパネル取付具において選択パネル連結体を建材パネルを固定する図、（ｂ）は第３実施形態のパネル取付具において選択パネル連結体を建材パネルに固定する図である。
【考案を実施するための形態】
【００１３】
第１乃至第３実施形態のパネル取付具について、図１乃至図４５を参照して説明する。
【００１４】
図８乃至図４５において、第１乃至第３実施形態のパネル取付具（Ｘ），（Ｙ），（Ｚ）は、パネルユニット（ＰＵ）、例えば太陽電池パネルユニットを固定（連結）する。
【００１５】
＜第１実施形態＞
第１実施形態のパネル取付具（Ｘ）について、図１乃至図４を参照して説明する。
【００１６】
図１乃至図４において、第１実施形態のパネル取付具（Ｘ：以下「第１パネル取付具（Ｘ）」と称する）は、一のパネルユニット（ＵＰ）及び他の一のパネルユニット（ＵＰ）を固定する（図３５乃至図３８参照）。
第１パネル取付具（Ｘ）は、図１乃至図４に示すように、パネル取付体（１）、第１パネル連結体（２）、第２パネル連結体（３）、第１締結体（４）、第２締結体（５）及び固定締結体（６）を含んで構成される。
【００１７】
パネル取付体（１）は、図１及び図２に示すように、例えば、断面コ字形の長尺取付レールで構成される。パネル取付体（１）は、例えば、アルミニウム合金で形成される。
パネル取付体（１）は、収納空所（７）、取付平板部（８）及び複数の取付穴（９），（９）を有している。収納空所（７）は、パネル支持体（１）内に形成される。収納空所（７）は、パネル取付体（１）の長手方向（ＮＴ：長尺方向）において、パネル取付体（１）を挿通（貫通）している。収納空所（７）は、長手方向（ＮＴ）に直交する幅方向（ＨＴ）において、パネル取付体（１）の一側面に開口している。
【００１８】
取付平板部（８）は、取付表平面（８ａ）及び取付裏平面（８ｂ）を有し、取付表平面（８ａ）及び取付裏平面（８ｂ）を平行配置する。取付平板部（８）、取付表平面（８ａ）及び取付上平面（８ｂ）は、長手方向（ＮＴ）に延設される。
【００１９】
複数の取付穴（９），（９）は、長手方向（ＮＴ）及び幅方向（ＨＴ）に直交する上下方向（ＵＴ）において、取付平板部（８）を挿通（貫通）して、取付表平面（８ａ）及び取付裏平面［８ｂ：収納空所（７）］に開口している。
各取付穴（９），（９）は、幅方向（ＨＴ）中心に配置される。各取付穴（９），（９）は、長手方向（ＮＴ）において、間隔：Ｐを隔てて配置される（図２参照）。
【００２０】
第１パネル連結体（２）は、図１及び図３に示すように、例えば、１枚の矩形平板（長方形平板）で構成される。
第１パネル連結体（２）は、第１連結平板部（１０）及び第１固定平板部（１１：第１固定板部）を連続して有する。第１パネル連結体（２）は、例えば、アルミニウム合金で形成される。
【００２１】
第１連結平板部（１０）は、連結表平面（１０ａ）及び連結裏平面（１０ｂ）を有する。第１連結平板部（１０）は、第１パネル連結体（２）の長手方向（ＮＴ）に直交する上下方向（ＵＴ）において、連結表平面（１０ａ）及び連結裏平面（１０ｂ）間で板厚：Ｔ（間隔：Ｔ）を有して、連結表平面（１０ａ）及び連結裏平面（１０ｂ）を平行配置している。
第１連結平板部（１０）は、連結穴（１２）を有している。連結穴（１２）は、上下方向（ＵＴ）において、連結平板部（１０）を挿通（貫通）して、連結裏平面（１０ａ）及び連結裏平面（１０ｂ）に開口している。連結穴（１２）は、図３に示すように、連結表平面（１０ａ）及び連結裏平面（１０ｂ）の中心に配置される。
【００２２】
第１固定平板部（１１）は、長手方向（ＮＴ）において、第１連結平板部（１１）に連続して形成される。
第１固定平板部（１１）は、上下方向（ＵＴ）において、第１連結平板部（１０）の連結表平面（１０ａ）から段差：Ｔ／２を持って配置され、また、第１固定平板部（１１）は、連結裏平面（１０ｂ）から第１連結平板部（１０）の半分板厚：Ｔ／２を持って形成される。第１固定平板部（１１）は、連結裏平面（１０ｂ）、及び連結裏平面（１０ｂ）に平行する接触表平面（１１ａ）を有している。
第１固定平板部（１１）は、上下方向（ＵＴ）において、連結裏平面（１０ｂ）及び接触表平面（１１ａ）間で板厚：Ｔ／２（間隔：Ｔ／２）を隔てて、連結裏平面（１０ｂ）及び接触表平面（１１ａ）を平行配置している。
第１固定平板部（１１）は、ナット収納穴（１４）を有している。ナット収納穴（１４）は、接触表平面（１１ａ）に直交する上下方向（ＵＴ）において、第１固定平板部（１１）を挿通（貫通）する。ナット収納穴（１４）は、連結裏平面（１０ｂ）及び接触表平面（１１ａ）に開口している。ナット収納穴（１４）は、第１固定平板部（１１）連結裏平面（１０ｂ）及び接続表平面（１１ａ）の中心に配置される。
【００２３】
第２パネル連結体（３）は、図１及び図４に示すように、第１パネル連結体（２）と同一構成である。
第２パネル連結体（３）は、１枚の矩形平板（長方形平板）で構成され、第２連結平板部（２０）及び第２固定平板部（２１：第２固定板部）を連続して有する。第２パネル連結体（２）は、例えばアルミニウム合金で形成される。
【００２４】
第２連結平板部（２０）は、連結表平面（２０ａ）及び連結裏平面（２０ｂ）を有する。第２連結平板部（２０）は、第２パネル連結体（３）の長手方向（ＮＴ）に直交する上下方向（ＵＴ）において、連結表平面（２０ａ）及び連結裏平面（２０ｂ）間で板厚：Ｔ（間隔：Ｔ）を有して、連結表平面（２０ａ）及び連結裏平面（２０ｂ）を平行配置している。
これにより、第１及び第２パネル連結体（２），（３）において、各連結平板部（１０），（２０）は、図３及び図４に示すように、連結表平面（１０ａ），（２０ａ）及び連結裏平面間（１０ｂ），（２０ｂ）で同一板厚：Ｔ（同一間隔：Ｔ）を有して、連結表平面及び連結裏平面を平行配置する。
【００２５】
第２連結平板部（２０）は、連結穴（２２）を有している。連結穴（２２）は、上下方向（ＵＴ）において、第２連結平板部（２０）を挿通（貫通）して、連結表平面（２０ａ）及び連結裏平面（２０ｂ）に開口している。連結穴（２２）は、図４に示すように、連結表平面（２０ａ）及び連結裏平面（２０ｂ）の中心に配置される。
【００２６】
第２固定平板部（２１）は、長手方向（ＮＴ）において、第２連結平板部（２０）に連続して形成される。
第２固定平板部（２１）は、上下方向（ＵＴ）において、第２連結平板部（２０）の連結裏平面（２０ｂ）から段差：Ｔ／２を持って配置され、また、第２固定平板部（２１）は、連結表平面（２０ａ）から第２連結平板部（２０）の半分板厚：Ｔ／２を持って形成される。第２固定平板部（２１）は、連結表平板（２０ａ）、及び連結表平面（２０ａ）に平行する接触裏平面（２１ｂ）を有している。
第２固定平板部（２１）は、上下方向（ＵＴ）において、連結表平面（２０ａ）及び接触裏平面（２１ｂ）間で板厚：Ｔ／２（間隔：Ｔ／２）を隔てて、連結表平面（２０ａ）及び接触裏平面（２１ｂ）を平行配置している。
第２固定平板部（２１）は、ナット収納穴（２４）を有している。ナット収納穴（２４）は、接触裏平面（２１ｂ）に直交する上下方向（ＵＴ）において、第２固定平板部（２１）を挿通（貫通）する。ナット収納穴（２４）は、連結表平面（２０ａ）及び接触裏平面（２１ｂ）に開口している。ナット収納穴（２４）は、図４に示すように、第２固定平板部（２１）の連結表平面（２０ａ）及び接触裏平面（２１ｂ）中心に配置される。
【００２７】
第１及び第２パネル連結体（２），（３）は、図１に示すように、第１固定平板部（１１）の接触表平面（１１ａ）及び第２固定平板部（２１）の接触裏平面（２１ｂ）を接触して、各固定平板部（１１），（２１）を重ね配置する。
これにより、第１及び第２パネル連結体（２），（３）は、１枚の平板体（ＨＴ１）を構成し、平板体（ＨＴ１）は連続する連結表平面（１０ａ），（２０ａ）、及び連続する連結裏平面（１０ｂ），（２０ｂ）を有する。また、第１及び第２パネル連結体（２），（３）は、各固定平板部（１１），（２１）を重ね配置すると、上下方向（ＵＴ）において、各ナット収納穴（１４），（２４）を連続する。
【００２８】
第１締結体（４）は、図１に示すように、第１連結ボルト（３０）、第１連結ナット（３１）、複数の平座金（３２），（３３）及びバネ座金（３４）を有している。第１連結ボルト（３０）は、ネジ軸部（３０Ａ）及び六角頭部（３０Ｂ：ボルト頭部）で構成される。第１連結ナット（３１）は、六角ナットで構成され、第１連結ボルト（３１）のネジ軸部（３０Ａ）に螺着される。
【００２９】
第２締結体（５）は、図１に示すように、第１締結体（４）と同一構成である。第２締結体（５）は、第２連結ボルト（３５）、第２連結ナット（３６）、複数の平座金（３７），（３８）及びバネ座金（３９）を有している。第２連結ボルト（３５）は、ネジ軸部（３５Ａ）及び六角頭部（３５Ｂ：ボルト頭部）で構成される。第２連結ナット（３６）は、六角ナットで構成され、第２連結ボルト（３５）のネジ軸部（３５Ａ）に螺着される。
【００３０】
固定締結体（６）は、図１に示すように、固定ボルト（４０）、固定ナット（４１）、取付ナット（４２）、複数の平座金（４３），（４４）、及びバネ座金（４５）を有している。固定ボルト（４０）は、ネジ軸部（４０Ａ）及び六角頭部（４０Ｂ：ボルト頭部）で構成される。固定ナット（４１）及び取付ナット（４２）は、例えば六角ナットで構成され、固定ボルト（４０）のネジ軸部（４０Ｂ）に螺着される。取付ナット（４２）のナット高：Ｔ１は、図１に示すように、各固定平板部（１１），（２１）の板厚：Ｔ／２の合計板厚：Ｔに対し、ナット高：Ｔ１＜合計板厚：Ｔの関係にする。
【００３１】
＜第２実施形態＞
第２実施形態のパネル取付具（Ｙ）について、図１、図５及び図６を参照して説明する。
なお、図５及び図６において、図１乃至図４と同一符号は同一構成及び同一部材であるので、その詳細な説明は省略する。
【００３２】
図１において、第２実施形態のパネル取付具（Ｙ：以下「第２パネル取付具（Ｙ）」と称する）は、第１パネル取付具（Ｘ）と同一構成を備えている。
第２パネル取付具（Ｙ）は、第１及び第２パネル連結体（２），（３）のうち、一方のパネル連結体、例えば第１パネル連結体（２）を選択し、選択パネル連結体（２）とする。
第２パネル取付具（Ｙ）は、第１及び第２締結体（４），（５）のうち、一方の締結体、例えば第１締結体（４）を選択して、選択締結体（４）とする。
第２パネル取付具（Ｙ）は、図５及び図６に示すように、パネル取付体（１）、第１パネル連結体（２：選択パネル連結体）、第１締結体（４：選択締結体）、固定締結体（６）及び補足平板体（４６）を含んで構成される。
【００３３】
補足平板体（４６）は、図５及び図６に示すように、各パネル連結体（２），（３）の固定平板部（１１），（２１）と同一形状（矩形平板）に形成される。補足平板体（４６）は、例えば、アルミニウム合金で形成される。
補足平板体（４６）は、補足表平面（４６ａ）及び補足裏平面（４６ｂ）を有している。補足平板体（４６）は、上下方向（ＵＴ）において、補足表平面（４６ａ）及び補足裏平面（４６ｂ）間で板厚：Ｔ／２（間隔：Ｔ／２）を有して、補足表平面（４６ａ）及び補足裏平面（４６ｂ）を平行配置している。
補足平板体（４６）は、ナット収納穴（４７）を有している。ナット収納穴（４７）は、上下方向（ＵＴ）において、補足平板体（４６）を挿通（貫通）して、補足表平面（４６ａ）及び補足裏平面（４６ｂ）に開口している。ナット収納穴（４７）は、補足表平面（４６ａ）及び補足裏平面（４６ｂ）の中心に配置される。
【００３４】
選択パネル連結体（２）及び補足平板体（４６）は、図５に示すように、第１固定平板部（１１）の接触表平面（１１ａ）及び補足裏平面（４６ｂ）を接触して、第１固定平板部（１１）及び補足平板体（４６）を重ね配置する。
これにより、選択パネル連結体（２）及び補足平板体（４６）は、１枚の平板体（ＨＴ２）を構成し、平板体（ＨＴ２）は連続する連結表平面（１０ａ），補足表平面（４６ａ）、及び連結裏平面（１０ｂ）を有する。また、選択パネル連結体（２）及び補足平板体（４６）は、重ね配置すると、上下方向（ＵＴ）において、各ナット収納穴（１４），（４７）を連通する。
【００３５】
＜第３実施形態＞
第３実施形態のパネル取付具（Ｚ）について、図１及び図７を参照して説明する。
なお、図７において、図１乃至図６と同一符号は同一構成及び同一部材であるので、その詳細な説明は省略する。
【００３６】
図１において、第３実施形態のパネル取付具（Ｚ：以下「第３パネル取付具（Ｚ）」と称する）は、第１パネル取付具（Ｘ）と同一構成を備えている。
第３パネル取付具（Ｚ）は、第１及び第２パネル連結体（２），（３）のうち、一方のパネル連結体、例えば第２パネル連結体（３）を選択して、選択パネル連結体（３）とする。
第３パネル取付具（Ｚ）は、第１及び第２締結体（４），（５）のうち、一方の締結体、例えば第１締結体（５）を選択して、選択締結体（５）とする。
第３パネル取付具（Ｚ）は、図７に示すように、パネル取付体（１）、第２パネル連結体（３：選択パネル連結体）、第２締結体（５：選択締結体）、固定締結体（６）及び補足平板体（４６）を含んで構成される。
【００３７】
選択パネル連結体（３）及び補足平板体（４６）は、図７に示すように、第２固定平板部（１１）の接触裏平面（２１ｂ）及び補足表平面（４６ａ）を接触して、第２固定平板部（２１）及び補足平板体（４６）を重ね配置する。
これにより、選択パネル連結体（３）及び補足平板体（４６）は、１枚の平板体（ＨＴ３）を構成し、平板体（ＨＴ２）は連続する連結裏平面（２０ｂ），補足裏平面（４６ｂ）、及び連結表平面（２０ａ）を有する。また、選択パネル連結体（３）及び補足平板体（４６）は、重ね配置すると、上下方向（ＵＴ）において、各ナット収納穴（２４），（４７）を連通する。
【００３８】
＜パネル取付具・適用例＞
次に、第１乃至第３パネル取付具（Ｘ），（Ｙ），（Ｚ）の適用例について、図８乃至図４１を参照して説明する。
【００３９】
図８乃至図４１において、第１乃至第３パネル取付具（Ｘ），（Ｙ），（Ｚ）は、例えば太陽電池アレイ（ＢＳ）に適用される。太陽電池アレイ（ＢＳ）は、複数の太陽電池パネルユニット（ＰＵ），（ＰＵ），…で構成される。
第１乃至第２パネル取付具（Ｘ），（Ｙ），（Ｚ）は、太陽電池アレイ（ＢＳ）において、各太陽電池パネルユニット（ＰＵ），（ＰＵ），…を固定（連結）する（図８参照）。
【００４０】
＜太陽電池ユニット＞
図９において、太陽電池パネルユニット（ＰＵ）は、太陽電池パネル（ＳＰ）及びパネル枠（ＰＦ）を含んでなる。
【００４１】
太陽電池パネル（ＳＰ）は、複数の太陽電池セル（図示しない）を並列して、矩形パネル（長方形パネル）に形成される。
【００４２】
パネル枠（ＰＦ）は、太陽電池パネル（ＳＰ）外縁を支持する。パネル枠（ＰＦ）は、矩形枠本体（５１）及び複数（一対）の枠平板部（５２），（５３）を備えている。矩形枠本体（５１）は、太陽電池パネル（ＳＰ）の短辺両端及び長辺両端に夫々配置され、太陽電池パネル（ＳＰ）を支持する。
【００４３】
複数の枠平板部（５２），（５３）は、太陽電池パネル（ＳＰ）の幅方向（ＨＴ）において、短辺両端に間隔：Ｈを隔てて夫々配置され、矩形枠本体（５１）に支持される。各枠平板部（５２），（５３）は、太陽電池パネルユニット（ＰＵ）外縁を構成する各長辺に沿って配置される。
各枠平板部（５２），（５３）は、矩形枠本体（５１）内側に位置して、長手方向（ＮＴ）において、太陽電池パネル（ＳＰ）の長辺両端間に延設される。
各枠平板部（５２），（５３）は、太陽電池パネル（ＳＰ）の長手方向（ＮＴ）及び幅方向（ＨＴ）に直交する上下方向（ＵＴ）において、太陽電池パネル（ＳＰ）裏平面（ＳＰ１）に間隔：Ｆを隔てて平行配置される。
各枠平板部（５２），（５３）は、複数のパネル穴（５４），（５４）を有している。各パネル穴（５４），（５４）は、上下方向（ＵＴ）において、各枠平板部（５２），（５３）を挿通（貫通）している。各枠平板部（５２），（５３）において、各パネル穴（５４），（５４）は、長手方向（ＮＴ）に直交する配置線（ａ１），（ｂ１）上に配置される。各配置線（ａ１），（ｂ１）は、長手方向（ＮＴ）に間隔：Ｐを隔てて配置される。
【００４４】
＜太陽電池アレイ＞
図８において、太陽電池パネルユニット（ＰＵ）は、例えば、１列×３行に複数並列され、太陽電池アレイ（ＢＳ）を形成する。太陽電池アレイ（ＢＳ）は、下段・太陽電池パネルユニット（ＵＰ１）、中段・太陽電池パネルユニット（ＵＰ２）及び上段・太陽電池パネルユニット（ＵＰ３）で構成される（図８参照）。
【００４５】
＜第１乃至第３パネル取付具・配置＞
太陽電池アレイ（ＢＳ）において、第１パネル取付具（Ｘ）は、図８に示すように、下段及び中段・太陽電池パネルユニット（ＰＵ１），（ＰＵ２）間に複数配置され、各固定位置（Ａ１），（Ａ２）で各太陽電池パネルユニット（ＰＵ１），（ＰＵ２）を固定（連結）する（以下「第１パネル取付具（Ｘ１），（Ｘ２）」と称する）。
第１パネル取付具（Ｘ１），（Ｘ２）は、共通のパネル取付体（１）を兼用する。第１パネル取付具（Ｘ１），（Ｘ２）のパネル取付体（１）において、各取付穴（９），（９）は、各固定位置（Ａ１），（Ａ２）に対応する（図１０参照）。
【００４６】
太陽電池アレイ（ＢＳ）において、第１パネル取付具（Ｘ）は、図８に示すように、中段及び上段・太陽電池パネルユニット（ＰＵ２），（ＰＵ３）間に複数配置され、各固定位置（Ａ３），（Ａ４）で各太陽電池パネルユニット（ＰＵ２），（ＰＵ３）を固定（連結）する（以下「パネル取付具（Ｘ３），（Ｘ４）」と称する）。
第１パネル取付具（Ｘ３），（Ｘ４）は、共通のパネル取付体（１）を兼用する。第１パネル取付具（Ｘ３），（Ｘ４）のパネル取付体（１）において、各取付穴（９），（９）は、各固定位置（Ａ３），（Ａ４）に対応する（図１０参照）。
【００４７】
太陽電池アレイ（ＢＳ）において、第２パネル取付具（Ｙ）は、図８に示すように、上段・太陽電池パネルユニット（ＰＵ３）に複数配置され、各固定位置（Ａ５），（Ａ６）で太陽電池パネルユニット（ＰＵ３）を固定する（以下「第２パネル取付具（Ｙ１），（Ｙ２）」と称する）。
第２パネル取付具（Ｙ１），（Ｙ２）は、共通のパネル取付体（１）を兼用する。第２パネル取付具（Ｙ１），（Ｙ２）のパネル取付体（１）において、各取付穴（９），（９）は、各固定位置（Ａ５），（Ａ６）に対応する（図１０参照）。
【００４８】
太陽電池アレイ（ＢＳ）において、第３パネル取付具（Ｚ）は、図８に示すように、下段・太陽電池パネルユニット（ＰＵ３）に複数配置され、各固定位置（Ａ６），（Ａ７）で太陽電池パネルユニット（ＰＵ３）を固定する（以下「第３パネル取付具（Ｚ１），（Ｚ２）」と称する）。
第３パネル取付具（Ｚ１），（Ｚ２）は、共通のパネル取付体（１）を兼用する。第３パネル取付具（Ｚ１），（Ｚ２）のパネル取付体（１）において、各取付穴（９），（９）は、各固定位置（Ａ６），（Ａ７）に対応する（図１０参照）。
【００４９】
＜太陽電池パネルユニット・固定工程（固定方法）＞
以下、太陽電池パネルユニット（ＰＵ１）〜（ＰＵ３）の固定工程（固定方法／施工方法）について、具体的に説明する（図８乃至図４１参照）。
【００５０】
＜第１工程：固定ボルト（４０）・固定＞
図１１及び図１２において、第１乃至第３パネル取付具（Ｘ１），（Ｘ２），…は、固定締結体（６）の固定ボルト（４０）及び取付ナット（４２）をパネル取付体（１）に設置する。
各固定位置（Ａ１）〜（Ａ８）において、固定ボルト（４０）は、各パネル取付体（１），（１），…に固定する（図１２参照）。
【００５１】
各固定位置（Ａ１）〜（Ａ８）において、固定ボルト（４０）は、図１２に示すように、パネル取付体（１）の収納空所（７）に配置される。
固定ボルト（４０）は、ネジ軸部（４０Ａ）を平座金（４４）及び取付穴（９）に挿通する。ネジ軸部（４０Ａ）は、取付表平面（８ａ）に直交する上下方向（ＵＴ）において、取付表平面（８ａ）から突出する。
固定ボルト（４０）は、六角頭部（４０Ｂ：ボルト頭部）を収納空所（７）から取付裏平面（８ｂ）に当接する。
【００５２】
各固定位置（Ａ１）〜（Ａ８）において、取付ナット（４２）は、図１２に示すように、固定ボルト（４０）に螺着される。取付ナット（４２）は、取付表平面（８ａ）から突出するネジ軸部（４０Ａ）に螺着され、取付平板部（８）に向けて回動される。
取付ナット（４２）は、取付表平面（８ａ）に当接する。
【００５３】
これにより、各固定位置（Ａ１）〜（Ａ８）において、固定締結体（６）は、固定ボルト（４０）の六角頭部（４０Ｂ：ボルト頭部）及び取付ナット（４２）で取付平板部（８）を締結（締付け挟持）して、固定ボルト（４０）を各パネル取付体（１），（１），…に固定する。
【００５４】
＜第２工程：パネル取付体（１，１，…）・配置＞
第１パネル取付具（Ｘ１）〜（Ｘ４）において、パネル取付体（１）は、図１１に示すように、間隔：Ｇを隔てて平行配置する。
【００５５】
第２パネル取付具（Ｙ１），（Ｙ２）において、パネル取付体（１）は、図１１に示すように、第１パネル取付具（Ｘ３），（Ｘ４）のパネル取付体（１）に間隔：Ｇを隔てて平行配置する。
【００５６】
第３パネル取付具（Ｚ１），（Ｚ２）において、パネル取付体（１）は、図１１に示すように、第１パネル取付具（Ｘ１），（Ｘ２）のパネル取付体（１）に間隔：Ｇを隔てて平行配置する。
なお、間隔：Ｇは、図８及び図９に示すように、幅方向（ＨＴ）において、太陽電池パネルユニット（ＰＵ）の幅寸法程度である。
【００５７】
各パネル取付体（１），（１），…において、固定位置（Ａ１），（Ａ３），（Ａ５），（Ａ７）の固定ボルト（４０）は、図１１に示すように、長手方向（ＮＴ）に直交する配置線（ａ）上に配置する。各固定位置（Ａ２），（Ａ４），（Ａ６），（Ａ８）の固定ボルト（４０）は、長手方向（ＮＴ）に直交する配置線（ｂ）上に配置する。
なお、各配置線（ａ），（ｂ）は、長手方向（ＮＴ）に間隔：Ｐを隔てて配置される。各配置線（ａ），（ｂ）間の間隔；Ｐは、各枠平板部（５２），（５３）のパネル穴（５４），（５４）間と同一間隔：Ｐである（図９参照）。
【００５８】
＜第３工程：第１パネル取付具（Ｘ１，Ｘ２）［各パネル連結体・固定］＞
図１３及び図１４において、第１パネル取付具（Ｘ１），（Ｘ２）は、第１パネル連結体（２）を下段・太陽電池パネルユニット（ＰＵ１：一のパネルユニット）に固定する。
各第１パネル連結体（２），（２）は、第１締結体（４），（４）で下段・太陽電池パネルユニット（ＵＰ１）に固定される。
【００５９】
下段・太陽電池パネルユニット（ＰＵ１）において、各第１パネル連結体（２），（２）は、枠平板部（５２）に位置して、各パネル穴（５４），（５４）に配置される。
【００６０】
図１４において、第１パネル連結体（２）は、第１連結平板部（１０）を枠平板部（５２）裏側に配置する。
第１連結平板部（１０）は、連結表平面（１０ａ）を枠平板部（５２）の裏平面（５２ｂ）に当接して平行配置する。
第１連結平板部（１０）及び第１固定平板部（１１）は、枠平板部（５２：一方の枠平板部）に直交する幅方向（ＨＴ）に延設され、第１固定平板部（１１）は下段・太陽電池パネルユニット（ＰＵ１）外側に配置する。
【００６１】
第１締結体（４）において、第１連結ボルト（３０）は、図１４に示すように、太陽電池パネル（ＳＰ）及び枠平板部（５２）間に配置される。
第１連結ボルト（３０）は、枠平板部（５２）及び第１連結平板部（１０）を挿通する。第１連結ボルト（３０）は、ネジ軸部（３０Ａ）を平座金（３２）、パネル穴（５４）及び連結穴（１２）に挿通する。ネジ軸部（３０Ａ）は、連結表平面（１０ａ）に直交する上下方向（ＵＴ）において、第１連結平板部（１０）の連結裏平面（１０ｂ）から突出する。ネジ軸部（３０Ａ）は、連結裏平面（１０ｂ）側において、平座金（３３）及びバネ座金（３４）を挿通する。
第１連結ボルト（３０）は、六角頭部（３０Ｂ：ボルト頭部）を平座金（３２：連結表平面）に当接する。
【００６２】
第１締結体（４）において、第１連結ナット（３１）は、図１４に示すように、第１連結ボルト（３０）に螺着される。第１連結ボルト（３１）は、連結裏平面（１０ｂ）から突出するネジ軸部（３０Ａ）に螺着され、第１連結平板部（１０）に向けて回動される。第１連結ナット（３１）は、バネ座金（３４：連結裏平面）に当接する。
【００６３】
これにより、第１締結体（４）は、第１連結ボルト（３０）の六角頭部（３０Ｂ：ボルト頭部）及び第１連結ナット（３１）で枠平板部（５２）及び第１連結平板部（１０）を締結（締付け挟持）して、各第１パネル連結体（２），（２）を下段・太陽電池パネルユニット（ＰＵ１）に固定する。
【００６４】
また、各第１パネル連結体（２），（２）は、太陽電池パネルユニット（ＰＵ１）の長手方向（ＮＴ）において、間隔：Ｐ[各取付穴（９），（９）と同一間隔：Ｐ]を隔てて下段・太陽電池パネルユニット（ＰＵ１）に固定される（図１３参照）。
【００６５】
図１３及び図１５において、第１パネル取付具（Ｘ１），（Ｘ２）は、第２パネル連結体（３）を中段・太陽電池パネルユニット（ＰＵ２：他の一のパネルユニット）に固定する。
各第２パネル連結体（３），（３）は、第２締結体（５），（５）で中段・太陽電池パネルユニット（ＰＵ２）に固定される。
【００６６】
中段・太陽電池パネルユニット（ＰＵ２）において、各第２パネル連結体（３），（３）は、枠平板部（５３）に位置して、各パネル穴（５４），（５４）に配置される。
【００６７】
図１５において、第２パネル連結体（３）は、第２連結平板部（２０）を枠平板部（５３）裏側に配置する。
第２連結平板部（２０）は、連結表平面（２０ａ）を枠平板部（５３）の裏平面（５３ｂ）に当接して平行配置する。
第２連結平板部（２０）及び第２固定平板部（２１）は、枠平板部（５３）に直交する幅方向（ＨＴ）に延設され、第２固定平板部（２１）は中段・太陽電池パネルユニット（ＰＵ２）外側に配置する。
【００６８】
第２締結体（５）において、第２連結ボルト（３５）は、図１５に示すように、太陽電池パネル（ＳＰ）及び枠平板部（５３）間に配置される。
第２連結ボルト（３５）は、枠平板部（５３）及び第２連結平板部（２０）を挿通する。第２連結ボルト（３５）は、ネジ軸部（３５Ａ）を平座金（３７）、パネル穴（５４）及び連結穴（２２）に挿通する。ネジ軸部（３５Ａ）は、連結表平面（２０ａ）に直交する上下方向（ＵＴ）において、第２連結平板部（２０）の連結裏平面（２０ｂ）から突出する。ネジ軸部（３５Ａ）は、連結裏平面（２０ｂ）側において、平座金（３８）及びバネ座金（３９）を挿通する。
第２連結ボルト（３５）は、六角頭部（３５Ｂ：ボルト頭部）を平座金（３７：連結表平面）に当接する。
【００６９】
第２連結体（５）において、第２連結ナット（３６）は、図１５に示すように、第２連結ボルト（３５）に螺着される。第２連結ナット（３６）は、連結裏平面（２０ｂ）から突出するネジ軸部（３５Ａ）に螺着され、連結裏平面（２０ｂ）に向けて回動される。第２連結ボルト（３６）は、バネ座金（３９：連結裏平面）に当接する。
【００７０】
これにより、第２締結体（５）は、第２連結ボルト（３５）の六角頭部（３５Ｂ：ボルト頭部）及び第２連結ナット（３６）で枠平板部（５３）及び第２連結平板部（２０）を締結（締付け挟持）して、各第２パネル連結体（３），（３）を中段・太陽電池パネルユニット（ＰＵ２）に固定する。
【００７１】
また、各第２パネル連結体（３），（３）は、太陽電池パネルユニット（ＰＵ２）の長手方向（ＮＴ）において、間隔：Ｐ[各取付穴（９），（９）間と同一間隔：Ｐ]を隔てて中段・太陽電池パネルユニット（ＰＵ２）に固定される（図１３参照）。
【００７２】
＜第４工程：第１パネル取付具（Ｘ３，Ｘ４）［各パネル連結体・固定］＞
図１６及び図１７において、第１パネル取付具（Ｘ３），（Ｘ４）は、第１パネル連結体（２）を上段・太陽電池パネルユニット（ＰＵ３：一のパネルユニット）に固定する。
各第１パネル連結体（３），（３）は、第１締結体（４），（４）で上段・太陽電池パネルユニット（ＰＵ３）に固定される。
【００７３】
上段・太陽電池パネルユニット（ＰＵ３）において、各第１パネル連結体（２），（２）は、枠平板部（５３）に位置して、各パネル穴（５４），（５４）に配置される。
【００７４】
図１７において、第１パネル連結体（２）は、第１連結平板部（１０）を枠平板部（５３）裏側に配置される。
第１連結平板部（１０）は、連結表平面（１０ａ）を枠平板部（５３：他方の枠平板部）の裏平面（５３ｂ）に当接して平行配置する。
第１連結平板部（１０）及び第１固定平板部（１１）は、枠平板部（５３）に直交する幅方向（ＨＴ）に延設され、第１固定平板部（１１）は上段・太陽電池パネルユニット（ＰＵ３）外側に配置する。
【００７５】
第１連結体（４）において、第１連結ボルト（３０）は、図１７に示すように、太陽電池パネル（ＳＰ）及び枠平板部（５３）間に配置される。
第１連結ボルト（３０）は、枠平板部（５３）及び第１連結平板部（１０）を挿通する。第１連結ボルト（３０）は、ネジ軸部（３０Ａ）を平座金（３２）、パネル穴（５４）及び連結穴（１２）を挿通する。ネジ軸部（３０Ａ）は、連結表平面（１０ａ）に直交する上下方向（ＵＴ）において、第１連結平板部（１０）の連結裏平面（１０ｂ）から突出する。ネジ軸部（３０Ａ）は、連結裏平面（１０ｂ）側において、平座金（３３）及びバネ座金（３４）を挿通する。
第１連結ボルト（３０）は、六角頭部（３０Ｂ：ボルト頭部）を平座金（３２：連結表平面）に当接する。
【００７６】
第１締結体（４）において、第１連結ナット（３１）は、図１７に示すように、第１連結ボルト（３０）に螺着される。第１連結ナット（３１）は、連結裏平面（１０ｂ）から突出するネジ軸部（３０Ａ）に螺着され、第１連結平板部（１０）に向けて回動される。第１連結ナット（３１）は、バネ座金(３４:連結裏平面)に当接する。
【００７７】
これにより、第１締結体（４）は、第１連結ボルト（３０）の六角頭部（３０Ｂ：ボルト頭部）及び第１連結ボルト（３１）で枠平板部（５３）及び第１連結平板部（１０）を締結（締付け挟持）して、各第１パネル連結体（２），（２）を上段・太陽電池パネルユニット（ＰＵ３）に固定する。
【００７８】
また、各第１パネル連結体（２），（２）は、太陽電池パネルユニット（ＰＵ３）の長手方向（ＮＴ）において、間隔：Ｐ[各取付穴（９），（９）と同一間隔：Ｐ]を隔てて上段・太陽電池パネルユニット（ＰＵ３）に固定される（図１６参照）。
【００７９】
図１６及び図１８において、第１パネル取付具（Ｘ３），（Ｘ４）は、第２パネル連結体（３）を中段・太陽電池パネルユニット（ＰＵ２：他の一のパネルユニット）に固定する。
各第２パネル連結体（３），（３）は、第２連結体（５），（５）で中段・太陽電池パネルユニット（ＰＵ２）に固定される。
【００８０】
中段・太陽電池パネルユニット（ＰＵ２）において、各第２パネル連結体（３），（３）は、枠平板部（５２）に位置して、各パネル穴（５４），（５４）に配置される。
【００８１】
図１８において、第２パネル連結体（３）は、第２連結平板部（２０）を枠平板部（５２）裏側に配置する。
第２連結平板部（２０）は、連結表平面（２０ａ）を枠平板部（５２：一方の枠平板部）の裏平面（５２ｂ）に当接して平行配置する。
第２連結平板部（２０）及び第２固定平板部（２１）は、枠平板部（５２）に直交する幅方向（ＨＴ）に延設され、第２固定平板部（２１）は中段・太陽電池パネルユニット（ＰＵ２）外側に配置する。
【００８２】
第２締結体（５）において、第２連結ボルト（３５）は、図１８に示すように、太陽電池パネル（ＳＰ）及び枠平板部（５２）間に配置される。
第２連結ボルト（３５）は、枠平板部（５２）及び第２連結平板部（２０）を挿通する。第２連結ボルト（３５）は、ネジ軸部（３５Ａ）を平座金（３７）、パネル穴（５４）及び連結穴（２２）に挿通する。ネジ軸部（３５Ａ）は、連結表平面（２０ａ）に直交する上下方向（ＵＴ）において、第２連結平板部（２０）の連結裏平面（２０ｂ）から突出する。ネジ軸部（３５Ａ）は、連結裏平面（２０ｂ）側において、平座金（３８）及びバネ座金（３９）を挿通する。
第２連結ボルト（３５）は、六角頭部（３５Ｂ：ボルト頭部）を平座金（３７：連結表平面）に当接する。
【００８３】
第２締結体（５）において、第２連結ナット（３６）は、図１８に示すように、第２連結ボルト（３５）に螺着される。第２連結ナット（３６）は、連結裏平面（２０ｂ）から突出するネジ軸部（３５Ａ）に螺着され、連結裏平面（２０ｂ）に向けて回動される。第２連結ナット（３６）は、バネ座金（３９：連結裏平面）に当接する。
【００８４】
これにより、第２締結体（５）は、第２連結ボルト（３５）の六角頭部（３５Ｂ：ボルト頭部）及び第２連結ナット（３６）で枠平板部（５２）及び第２連結平板部（２０）を締結（締付け挟持）して、各第２パネル連結体（３），（３）を中段・太陽電池パネルユニット（ＰＵ２）に固定する。
【００８５】
また、各第２パネル連結体（３），（３）は、太陽電池パネルユニット（ＰＵ２）の長手方向（ＮＴ）において、間隔：Ｐ[各取付穴（９），（９）と同一間隔：Ｐ]を隔てて中段・太陽電池パネルユニット（ＰＵ２）に固定される（図１６参照）。
【００８６】
＜第５工程：第２パネル取付具（Ｙ１，Ｙ２）［選択パネル連結体・固定］＞
図１９及び図２０において、パネル取付具（Ｙ１），（Ｙ２）は、選択パネル連結体（２）を上段・太陽電池パネルユニット（ＰＵ３）に固定する。
各選択パネル連結体（２），（２）は、選択締結体（４），（４）で上段・太陽電池パネルユニット（ＰＵ３）に固定される。なお、上段・太陽電池パネルユニット（ＰＵ３）は、太陽電池アレイ（ＢＳ）外縁（上長辺）を構成する（図８参照）。
【００８７】
上段・太陽電池パネルユニット（ＰＵ３）において、各選択パネル連結体（２），（２）は、枠平板部（５２）に位置して、各パネル穴（５４），（５４）に配置される。
【００８８】
図２０において、選択パネル連結体（２）は、第１連結平板部（１０）を枠平板部（５２）裏側に配置する。
第１連結平板部（１０）は、連結表平面（１０ａ）を枠平板部（５２：一方の枠平板部）の裏平面（５２ｂ）に当接して平行配置する。
第１連結平板部（１０）及び第１固定平板部（１１）は、枠平板部（５２）に直交する幅方向（ＨＴ）に延設され、第１固定平板部（１１）は上段・太陽電池パネルユニット（ＰＵ３）外側に配置する。
【００８９】
第１締結体（４）において、第１連結ボルト（３０）は、図２０に示すように、太陽電池パネル（ＳＰ）及び枠平板部（５２）間に配置される。
第１連結ボルト（３０）は、枠平板部（５２）及び第１連結平板部（１０）を挿通する。第１連結ボルト（３０）は、ネジ軸部（３０Ａ）を平座金（３２）、パネル穴（５４）及び連結穴（１２）に挿通する。ネジ軸部（３０Ａ）は、連結表平面（１０ａ）に直交する上下方向（ＵＴ）において、第１連結平板部（１０）の連結表平面（１０ａ）から突出する。ネジ軸部（３０Ａ）は、連結裏平面（１０ｂ）側において、平座金（３３）及びバネ座金（３４）を挿通する。
第１連結ボルト（３０）は、六角頭部（３０Ｂ：ボルト頭部）を平座金（３２：連結表平面）に当接する。
【００９０】
選択締結体（４）において、第１連結ナット（３１）は、図２０に示すように、第１連結ボルト（３０）に螺着される。第１連結ナット（３１）は、連結裏平面（１０ｂ）から突出するネジ軸部（３０Ａ）に螺着され、第１連結平板部（１０）に向けて回動される。第１連結ナット（３１）は、バネ座金(３４:連結裏平面)に当接する。
【００９１】
これにより、選択締結体（４：第１締結体）は、第１連結ボルト（３０）の六角頭部（３０Ｂ：ボルト頭部）及び第１連結ナット（３１）で枠平板部（５２）及び第１連結平板部（１０）を締結（締付け挟持）して、各選択パネル連結体（２），（２）を上段・太陽電池パネルユニット（ＰＵ３）に固定する。
【００９２】
また、各選択パネルユニット（２），（２）は、太陽電池パネルユニット（ＰＵ３）の長手方向（ＮＴ）において、間隔：Ｐ［各取付穴（９），（９）間と同一間隔：Ｐ］を隔てて上段・太陽電池パネルユニット（ＵＰ３）に固定される（図１９参照）。
【００９３】
＜第６工程：第３パネル取付具（Ｚ１，Ｚ２）［選択パネル連結体・固定］＞
図２１及び図２２において、第３パネル取付具（Ｚ１，Ｚ２）は、選択パネル連結体（３）を下段・太陽電池パネルユニット（ＰＵ１）に固定する。
各選択パネル連結体（３），（３）は、選択締結体（５），（５）で下段・太陽電池パネルユニット（ＰＵ１）に固定される。なお、下段・太陽電池パネルユニット（ＰＵ１）は、太陽電池アレイ（ＢＳ）外縁（下長辺）を構成する（図８参照）。
【００９４】
下段・太陽電池パネルユニット（ＰＵ１）において、各選択パネル連結体（３），（３）は、枠平板部（５３）に位置して、各パネル穴（５４），（５４）に配置される。
【００９５】
図２２において、各選択パネル連結体（３），（３）は、第２連結平板部（２０）を枠平板部（５３）裏側に配置する。
第２連結平板部（２０）は、連結表平面（２０ａ）を枠平板部（５３：他方の枠平板部）の裏平面（５３ｂ）に当接して平行配置する。
第２連結平板部（２０）及び第２固定平板部（２１）は、枠平板部（５３）に直交する幅方向（ＨＴ）に延設され、第２固定平板部（２１）は下段・太陽電池パネルユニット（ＰＵ２）外側に配置する。
【００９６】
選択締結体（５：第２締結体）において、第２連結ボルト（３５）は、図２２に示すように、太陽電池パネル（ＳＰ）及び枠平板部（５３）間に配置される。
第２連結ボルト（３５）は、枠平板部（５３）及び第２連結平板部（２０）を挿通する。第２連結ボルト（３５）は、ネジ軸部（３５Ａ）を平座金（３７）、パネル穴（５４）及び連結穴（２２）に挿通する。ネジ軸部（３５Ａ）は、連結表平面（２０ａ）に直交する上下方向（ＵＴ）において、第２連結平板部（２０）の連結裏平面（２０ｂ）から突出する。ネジ軸部（３５Ａ）は、連結裏平面（２０ｂ）側において、平座金（３８）及びバネ座金（３９）を挿通する。
【００９７】
選択締結体（５）において、第２連結ナット（３６）は、図２２に示すように、第２連結ボルト（３６）に螺着される。第２連結ナット（３６）は、連結裏平面（２０ｂ）から突出するネジ軸部（３５Ａ）に螺着され、連結裏平面（２０ｂ）に向けて回動される。第２連結ナット（３５）は、バネ座金金（３９：連結裏平面）に当接する。
【００９８】
これにより、選択締結体（５：第２締結体）は、第２連結ボルト（３５）の六角頭部（３５Ｂ：ボルト頭部）及び第２連結ナット（３６）で枠平板部（５３）及び第２連結平板部（２０）を締結（締付け挟持）して、各選択パネル連結体（３），（３）を下段・太陽電池パネルユニット（ＰＵ１）に固定する。
【００９９】
また、各選択パネル連結体（３），（３）は、太陽電池パネルユニット（ＰＵ１）の長手方向（ＮＴ）において、間隔：Ｐ［各取付穴（９），（９）間と同一間隔：Ｐ］を隔てて下段・太陽電池パネルユニット（ＰＵ１）に固定される（図２１参照）。
【０１００】
第３及び第６工程において、下段・太陽電池パネルユニット（ＰＵ１）は、図２１に示すように、第１パネル取付具（Ｘ１），（Ｘ２）の第１パネル連結体（２）、及び第３パネル取付具（Ｚ１），（Ｚ２）の選択パネル連結体（３）を備える。
各第１パネル連結体（２），（２）は、下段・太陽電池パネルユニット（ＰＵ１）の枠平板部（５２）に固定され、各選択パネル連結体（３），（３）は、下段・太陽パネルユニット（ＰＵ１）の枠平板部（５３）に固定される。
【０１０１】
第３及び第４工程において、中段・太陽電池パネルユニット（ＰＵ２）は、図２１に示すように、第１パネル取付具（Ｘ１），（Ｘ２）の第２パネル連結体（３）、及び第１パネル取付具（Ｘ３），（Ｘ４）の第２パネル連結体（３）を備える。
各第２パネル連結体（３），（３），…は、中段・太陽電池パネルユニット（ＰＵ２）の各枠平板部（５２），（５３）に固定される。
【０１０２】
第３及び第５工程において、上段・太陽電池パネルユニット（ＰＵ３）は、図２１に示すように、第１パネル取付具（Ｘ３），（Ｘ４）の第１パネル連結体（２）、及び第２パネル取付具（Ｙ１），（Ｙ２）の選択パネル連結体（２）を備える。
各第１パネル連結体（２），（２）は、上段・太陽電池パネルユニット（ＰＵ３）の枠平板部（５３）に固定され、各選択パネル連結体（２），（２）は上段・太陽電池パネルユニット（ＰＵ３）の枠平板部（５２）に固定される。
【０１０３】
＜第７工程：下段・太陽電池パネルユニット（ＰＵ１）・配置＞
図２３乃至図２６において、下段・太陽電池パネルユニット（ＰＵ１）は、第１パネル取付具（Ｘ１），（Ｘ２）のパネル取付体（１）、及び第３パネル取付具（Ｚ１），（Ｚ２）のパネル取付具（１）に配置する。
【０１０４】
図２４において、第３パネル取付具（Ｚ１），（Ｚ２）は、補足平板体（４６）を各固定位置（Ａ７），（Ａ８）に配置する。各固定位置（Ａ７），（Ａ８）において、各補足平板体（４６）は、補足裏平面（４６ｂ）を取付平板部（８）の取付表平面（８ａ）に当接して平行配置する。固定ボルト（４０）のネジ軸部（４０Ｂ）及び取付ナット（４２）は、図２４に示すように、補足平板板（４６）のナット収納穴（４７）を挿通して、補足表平面（４６ａ）から突出される。
【０１０５】
下段・太陽電池パネルユニット（ＰＵ１）において、第１パネル取付具（Ｘ１），（Ｘ２）の第１パネル連結体（２）は、図２３及び図２５に示すように、各固定位置（Ａ１），（Ａ２）に配置される。
各第１パネル連結体（２），（２）において、第１連結平板板（１０）及び第１固定平板部（２１）は、連結裏平面（２０ｂ）を取付表平面（８ａ）に当接して、パネル取付体（１）に平行配置する。
【０１０６】
各固定位置（Ａ１），（Ａ２）において、固定ボルト（４０）のネジ軸部（４０Ａ）、及び各取付ナット（４２）は、第１固定平板部（１１）のナット収納穴（１４）を挿通して、接触表平面（１１ａ）から突出される。
【０１０７】
下段・太陽電池パネルユニット（ＰＵ１）において、第３パネル取付具（Ｚ１），（Ｚ２）の各選択パネル連結体（３）は、図２３及び図２６に示すように、各固定位置（Ａ７），（Ａ８）に配置される。
各選択パネル連結体（３），（３）において、第２連結平板部（２０）は、図２６に示すように、連結裏平面（２０ａ）を取付表平面（８ａ）に当接して、パネル取付体（１）に平行配置される。第２固定平板部（２１）は、接触裏平面（２１ｂ）を補足表平面（４６ａ）に当接して、補足平板体（４６）上に配置される。補足平板体（４６）及び第２固定平板部（２１）は、接触表平面（４６ａ）に直交する上下方向（ＵＴ）において、重ねて平行配置される。
【０１０８】
各固定位置（Ａ７），（Ａ８）において、取付ナット（４２）は、図２６に示すように、重ね配置した補足平板体（４６）及び第２固定平板部（２１）の各ナット収納穴（４７），（２４）内に収納される。このとき、取付ナット（４２）は、上下方向（ＵＴ）において、各ナット収納穴（４７），（２４）から突出しない。
【０１０９】
各固定位置（Ａ８），（Ａ７）において、固定ボルト（４０）のネジ軸部（４０Ａ）は、図２６に示すように、補足平板体（４６）及び第２固定平板部（２１）の各ナット収納穴（４７），（２４）を挿通して、第２固定平板部（２１）から突出される
【０１１０】
これにより、下段・太陽電池パネルユニット（ＰＵ１）は、各パネル取付体（１），（１）上に配置される。
下段・太陽電池パネルユニット（ＰＵ１）は、図２３乃至図２６に示すように、各固定位置（Ａ１），（Ａ２），（Ａ７），（Ａ８）において、各第１パネル連結体（２），（２）、各選択パネル連結体（３），（３）、各固定ボルト（４０），（４０），…及び各取付ネット（４２），（４２），…でパネル取付体（１）上に支持される。
【０１１１】
＜第８工程：上段・太陽電池パネルユニット（ＰＵ３）・配置＞
図２７乃至図３０において、上段・太陽電池パネルユニット（ＰＵ３）は、第２パネル取付具（Ｙ１），（Ｙ２）のパネル取付体（１）、及び第１パネル取付具（Ｘ３），（Ｘ４）のパネル取付体（１）に配置する。
【０１１２】
上段・太陽電池パネルユニット（ＰＵ３）において、第２パネル取付具（Ｙ１），（Ｙ２）の選択パネル連結体（２）は、図２７及び図２８に示すように、各固定位置（Ａ５），（Ａ６）に配置される。
各選択パネル連結体（２），（２）において、第１連結平板部（１０）及び第１固定平板部（１１）は、連結裏平面（２０ｂ）を取付表平面（８ａ）に当接して、パネル取付体（１）に平行配置する。
【０１１３】
各固定位置（Ａ５），（Ａ６）において、固定ボルト（４０）のネジ軸部（４０Ａ）及び取付ナット（４２）は、第１固定平板部（１１）のナット収納穴（１４）を挿通して、接触表平面（１１ａ）から突出される。
【０１１４】
上段・太陽電池パネルユニット（ＰＵ３）において、第１パネル取付具（Ｘ３），（Ｘ４）の各第２パネル連結体（２）は、図２７及び図２９に示すように、各固定位置（Ａ３），（Ａ４）に配置される。
【０１１５】
各第１パネル連結体（２），（２）において、第１連結平板部（１０）及び第１固定平板部（１１）は、連結裏平面（１０ｂ）を取付表平面（８ａ）に当接して、パネル取付体（１）に平行配置する。
【０１１６】
各固定位置（Ａ３），（Ａ４）において、固定ボルト（４０）のネジ軸部（４０Ａ）及び取付ナット（４２）は、第１固定平部（１１）のナット収納穴（１４）を挿通して、各接触表平面（１１ａ）から突出される。
【０１１７】
これにより、上段・太陽電池パネルユニット（ＰＵ３）は、各パネル取付体（１），（１）上に配置される。
上段・太陽電池パネルユニット（ＰＵ３）は、図２７乃至図２９に示すように、各固定位置（Ａ３）〜（Ａ６）において、各第１パネル連結体（２），（２）、各選択パネル連結体（２），（２）、各固定ボルト（４０），（４０），…及び各取付ナット（４２），（４２），…で各パネル取付体（１），（１）上に支持される。
【０１１８】
＜第９工程：中段・太陽電池パネルユニット（ＰＵ２）・配置＞
図３０乃至図３２において、中段・太陽電池パネルユニット（ＰＵ２）は、第1パネル取付具（Ｘ１）〜（Ｘ４）の各パネル取付体（１），（１）上に配置する。
【０１１９】
中段・太陽電池パネルユニット（ＰＵ２）において、第１パネル取付具（Ｘ１），（Ｘ２）の第２パネル連結体（３）は、図３０及び図３１に示すように、各固定位置（Ａ１），（Ａ２）に配置される。
各第２パネル連結体（２），（２）において、第２連結平板部（２０）は、図３１及び図３２に示すように、連結裏平面（２０ｂ）を取付表平面（８ａ）に当接して、パネル取付体（１）に平行配置する。
【０１２０】
各固定位置（Ａ１），（Ａ２）において、第２固定平板部（２１）は、図３１及び図３２に示すように、下段・太陽電池パネルユニット（ＰＵ１）の第１固定平板部（１１）に重ね配置される。
第２固定平板部（２１）は、接触裏平面（２１ｂ）を接触表平面（１１ａ）に当接して、第１固定平板（１１）上に重ね配置される。第２固定平板部（２１）及び第１固定平板部（１１）は、接触裏平面（２１ｂ）に直交する上下方向（ＵＴ）において、重ねて平行配置される。
【０１２１】
各固定位置（Ａ１），（Ａ２）において、取付ナット（４２）は、図３１及び図３２に示すように、第１及び第２固定平板部（１１），（２１）のナット収納穴（１４），（２４）に収納される。取付ナット（４２）は、上下方向（ＵＴ）において、各ナット収納穴（１４），（２４）から突出しない。
【０１２２】
各固定位置（Ａ１），（Ａ２）において、固定ボルト（４０）のネジ軸部（４０Ａ）は、図３１及び図３２に示すように、重ね配置した第１及び第２固定板部（１１），（２１）の各ナット収納穴（１４），（２４）を挿通して、第２固定板部（２１）から突出される。
【０１２３】
中段・太陽電池パネルユニット（ＰＵ２）において、第１パネル取付具（Ｘ３），（Ｘ４）の第２パネル連結体（３）は、図３３及び図３４に示すように、各固定位置（Ａ３），（Ａ４）に配置される。
各第２パネル連結体（２），（２）において、第２連結平板部（２０）は、図３２に示すように、連結裏平面（２０ｂ）を取付表平面（８ａ）に当接して、パネル取付体（１）に平行配置する。
各固定位置（Ａ３），（Ａ４）において、第２固定平板部（２１）は、図３３及び図３４に示すように、下段・太陽電池パネルユニット（ＰＵ１）の第１固定平板部（１１）に重ね配置される。
第２固定平板部（２１）は、接触裏平面（２１ｂ）を接触表平面（１１ａ）に当接して、各第１固定平板（１１）上に重ね配置される。第２固定平板部（２１）及び第１固定平板部（１１）は、接触裏平面（２１ｂ）に直交する上下方向（ＵＴ）において、重ねて平行配置される。
【０１２４】
各固定位置（Ａ３），（Ａ４）において、取付ナット（４２）は、図３３及び図３４に示すように、第１及び第２固定平板部（１１），（２１）のナット収納穴（１４），（２４）に収納される。各取付ネット（４２），（４２）は、上下方向（ＵＴ）において、各ナット収納穴（１４），（２４）から突出しない。
【０１２５】
各固定位置（Ａ３），（Ａ４）において、固定ボルト（４０）のネジ軸部（４０Ａ）は、図３３及び図３４に示すように、重ね配置した第１及び第２固定板部（１１），（２１）の各ナット収納穴（１４），（２４）を挿通して、第２固定板部（２１）から突出される。
これにより、中段・太陽電池パネルユニット（ＰＵ３）は、各パネル取付体（１），（１）上に配置される。
【０１２６】
中段・太陽電池パネルユニット（ＰＵ２）は、図３０乃至図３４に示すように、各固定位置（Ａ１）〜（Ａ４）において、各第２パネル連結体（３），（３）、各選択パネル連結体（３），（３）、各固定ボルト（４０），（４０），…及び各取付ナット（４２），（４２），…で各パネル取付体（１），（１）上に支持される。
【０１２７】
＜第１０工程：太陽電池パネルユニット（Ｙ１〜Ｙ３）・固定＞
図８、図３５乃至図４０において、第１乃至第３パネル取付具（Ｘ１），（Ｘ２），…は、各太陽電池パネルユニット（ＰＵ１）〜（ＰＵ３）を固定する。
【０１２８】
第１パネル取付具（Ｘ１），（Ｘ２）は、図３５及び図３６に示すように、各固定位置（Ａ１），（Ａ２）において、下段及び中段・太陽電池パネルユニット（ＰＵ１），（ＰＵ２）を固定する。
【０１２９】
第１パネル取付具（Ｘ１），（Ｘ２）において、固定締結体（６）の平座金（４３）及びバネ座金（４５）は、固定ボルト（４０）に外嵌（装着）される。各固定位置（Ａ１），（Ａ２）において、平座金（４３）は、重ね配置した第２連結平板部（２１）の連結表平面（２０ａ）に当接して配置される。平座金（４３）は、第２固定平板部（２１）のナット収納穴（２４）を閉塞する。固定ボルト（４０）のネジ軸部（４０Ａ）は、平座金（４３）及びバネ座金（４５）を挿通して突出される。
【０１３０】
第１パネル取付具（Ｘ１），（Ｘ２）において、固定締結体（６）の固定ナット（４１）は、固定ボルト（４０）に螺着される。各固定位置（Ａ１），（Ａ２）において、固定ナット（４１）は、バネ座金（４５）から突出するネジ軸部（４０Ａ）に螺着され、重ね配置した第２固定板部（２１）側に向けて回動される。固定ナット（４１）は、バネ座金［４５：平座金（４３）／重ね配置した第２固定平板部（２１）］に当接する。
【０１３１】
固定ナット（４１）は、固定ボルト（４０）の六角頭部（４０Ｂ：ボルト頭部）とでバネ座金（４５）、平座金（４３）、第１及び第２固定平板部（１１），（１２）及び取付平板部（８）を締結（締付け挟持）して、第１及び第２パネル連結体（２），（３）をパネル支持体（１）に固定する。
【０１３２】
これにより、各固定位置（Ａ１），（Ａ２）において、下段・太陽電池パネルユニット（ＰＵ１）の枠平板部（５２）、及び中段・太陽電池パネルユニット（ＰＵ２）の枠平板部（５３）は、第１パネル取付具（Ｘ１），（Ｘ２）に固定される。
【０１３３】
第１パネル取付具（Ｘ３），（Ｘ４）は、図３７及び図３８に示すように、各固定位置（Ａ３），（Ａ４）において、中段及び上段・太陽電池パネルユニット（ＰＵ２），（ＰＵ３）を固定する。
【０１３４】
第１パネル取付具（Ｘ３），（Ｘ４）において、固定締結体（６）の平座金（４３）及びバネ座金（４５）は、固定ボルト（４０）に外嵌（装着）される。各固定位置（Ａ３），（Ａ４）において、平座金（４３）は、重ね配置した第２固定平板部（２１）の連結表平面（２０ａ）に当接して配置される。平座金（４３）は、第２固定平板部（２１）のナット収納穴（２４）を閉塞する。固定ボルト（４０）のネジ軸部（４０Ａ）は、平座金（４３）及びバネ座金（４５）を挿通して突出される。
【０１３５】
第1パネル取付具（Ｘ３），（Ｘ４）において、固定締結体（６）の固定ナット（４１）は、固定ボルト（４０）に螺着される。各固定位置（Ａ３），（Ａ４）において、固定ナット（４１）は、バネ座金（４５）から突出されるネジ軸部（４０Ａ）に螺着され、重ね配置した第２固定平板部（２１）に向けて回動される。固定ナット（４１）は、バネ座金［４５：平座金（４３）／重ね配置した第２固定平板部（２１）］に当接する。
【０１３６】
固定ナット（４１）は、固定ボルト（４０）の六角頭部（４０Ｂ：ボルト頭部）とでバネ座金（４５）、平座金（４３）、第1及び第２固定板部（１１），（２１）、及び取付平板部（８）を締結（締付け挟持）して、第１及び第２パネル連結体（２），（３）をパネル取付体（１）に固定する。
【０１３７】
これにより、各固定位置（Ａ３），（Ａ４）において、中段・太陽電池パネルユニット（ＰＵ２）の枠平板部（５２）、及び上段・太陽電池パネルユニット（ＰＵ３）の枠平板部（５３）は、第１パネル取付具（Ｘ３），（Ｘ４）に固定される。
【０１３８】
第２パネル取付具（Ｙ１），（Ｙ２）は、図３９に示すように、各固定位置（Ａ５），（Ａ６）において、上段・太陽電池パネルユニット（ＰＵ３）を固定する。
【０１３９】
図３９において、第２パネル取付具（Ｙ１），（Ｙ２）は、補足平板体（４６）を各固定位置（Ａ５），（Ａ６）に配置する。各固定位置（Ａ６），（Ａ６）において、補足平板体（４６）は、選択パネル連結体（２）に配置される。
補足平板体（４６）は、補足裏平面（４６ｂ）を連結表平面（１１ａ）に当接して、第１固定平板部（１１）上に重ねて平行配置する。
【０１４０】
各固定位置（Ａ５），（Ａ６）において、固定ボルト（４０）のネジ軸部（４０Ａ）は、第１固定平板部（１１）及び補足平板部（４６）の各ナット収納穴（１４），（４７）を挿通して、第１固定平板部（１１）から突出される。取付ナット（４２）は、第１固定平板部（１１）及び補足平板体（４６）の各ナット収納穴（１４），（４７）に収納される。
【０１４１】
第２パネル取付具（Ｙ１），（Ｙ２）において、固定締結体（６）の平座金（４３）及びバネ座金（４５）は、固定ボルト（４０）に外嵌（装着）される。各固定位置（Ａ５），（Ａ６）において、平座金（４３）は、重ね配置した補足平板体（４６）の補足表平面（４６ａ）に当接して配置される。平座金（４３）は、補足平板板（４６）のナット収納穴（４７）を閉塞する。固定ボルト（４０）のネジ軸部（４０Ａ）は、平座金（４３）及びバネ座金（４５）を挿通して突出される。
【０１４２】
第２パネル取付具（Ｙ１），（Ｙ２）において、固定締結体（６）の固定ナット（４１）は、固定ボルト（４０）に螺着される。各固定位置（Ａ５），（Ａ６）において、固定ナット（４０）は、バネ座金（４５）から突出されるネジ軸部（４０Ａ）に螺着され、補足平板体（４６）に向けて回動される。固定ナット（４１）は、バネ座金（４５）を通して平座金（４３）［４５：平座金（３４）／補足平板体（４６）］に当接する。
【０１４３】
固定ナット（４１）は、固定ボルト（４０）の六角頭部（４０Ｂ）とでバネ座金（４５）、平座金（４３）、補足平板体（４６），第1固定平板部（２１）及び取付平板部（８）を締結（締付け挟持）して、各選択パネル連結体（２），（２）をパネル取付体（１）に固定する
【０１４４】
これにより、各固定位置（Ａ５），（Ａ６）において、上段・太陽電池パネルユニット（ＰＵ３）の枠平板部（５２）は、第２パネル取付具（Ｙ１），（Ｙ２）に固定される。
【０１４５】
第３パネル取付具（Ｚ１），（Ｚ２）は、図４０に示すように、各固定位置（Ａ７），（Ａ８）において、下段・太陽電池パネルユニット（ＰＵ１）を固定する。
【０１４６】
第３パネル取付体（Ｚ１），（Ｚ２）において、固定締結体（６）の平座金（４３）及びバネ座金（４５）は、固定ボルト（４０）に外嵌（装着）される。各固定位置（Ａ５），（Ａ６）において、平座金（４３）は、重ね配置した第２固定平板部（２１）の連結表平面（２０ａ）に当接して配置される。平座金（４３）は、第２固定平板部（２１）のナット収納穴（２４）を閉塞する。固定ボルト（４０）のネジ軸部（４０Ａ）は、平座金（４３）及びバネ座金（４５）を挿通して突出される。
【０１４７】
第３パネル取付具（Ｚ１），（Ｚ２）において、固定連結体（６）の固定ナット（４１）は、固定ボルト（４０）に螺着される。各固定位置（Ａ７），（Ａ８）において、固定ナット（４１）は、バネ座金（４５）から突出されるネジ軸部（４０Ａ）に螺着され、第２固定平板部（２１）に向けて回動される。固定ナット（４１）は、バネ座金［４５：平金座（４３）／第２固定平板部（２１）の連結表平面（２０ａ）］に当接する。
【０１４８】
固定ナット（４１）は、固定ボルト（４０）の六角頭部（４０Ｂ）とでバネ座金（４５）、平座金（４３）、第２固定板部（２１）、補足平板体（４６）及び取付平板部（８）を締結（締付け挟持して）、各選択パネル連結体（３），（３）をパネル取付体（１）に固定する。
これにより、各固定位置（Ａ５），（Ａ６）において、下段・太陽電池パネルユニット（ＰＵ３）の枠平板部（５３）は、第３パネル取付具（Ｚ１），（Ｚ２）に固定される。
【０１４９】
第１乃至第１０工程において、第１乃至第３パネル取付具（Ｘ１），（Ｘ２），…は、各太陽電池パネルユニット（ＰＵ１）〜（ＰＵ３）を固定して、図８に示すように、太陽電池アレイ組立体（ＢＳＫ）を構成する。
また、第１乃至第３パネル取付具（Ｘ１），（Ｘ２），…は、複数の太陽電池パネルユニット（ＰＵ１），（ＰＵ２），…を固定するパネル取付システム（ＰＳＳ）を構成する（図８参照）。パネル取付システム（ＰＳＳ）は、第１乃至第３パネル取付具（Ｘ１），（Ｘ２），…を用いて、第１乃至第１０工程において、複数の太陽電池パネルユニット（ＰＵ１），（ＰＵ２），…を並列（例えば、１列×３行）して固定する。
【０１５０】
太陽電池アレイ組立体（ＢＳＫ）において、第１乃至第３パネル取付具（Ｘ１），（Ｘ２），…の第１及び第２連結平板部（１０），（２０）は、連結表平面（１０ａ），（２０ａ）及び連結裏平面間（１０ｂ），（２０ｂ）間で同一板厚：Ｐを有する。また、第１連結平板部（１０），（２０）は、連結表平面（１０ａ）、（２０ａ）を各枠平板部（５２），（５３）に当接して平行配置し、連結裏平面（１０ｂ），（２０ｂ）を取付表平面（８ａ）に当接して平行配置する。
これにより、各太陽電池パネルユニット（ＰＵ１）〜（ＰＵ３）の太陽電池パネル（ＳＰ）は、取付裏平面（８ａ）に平行する同一平面に配置される。
【０１５１】
図８において、太陽電池アレイ組立体（ＢＳＳ）は、例えば複数の固定レール（１０１），（１０１）に取付けられ、集合住宅，ビル等の外壁、家屋、地上等の設置対象物（ＳＴ）に設置される（図４１参照）。なお、第１乃至第３パネル取付具（Ｘ１），（Ｘ２），…の各パネル取付体（１），（１），…は、第２工程において、各固定レール（１０１），（１０１）に取付けられ、各固定レール（１０１），（１０１）は設置対象物（ＳＴ）に設置される（図１０及び図１１参照）。
太陽電池アレイ組立体（ＢＳＳ）は、例えば家屋の屋根（１０２）に傾斜して設置される［図（４１（ａ）参照］。
また、太陽電池アレイ組立体（ＢＳＳ）は、例えばビルの外壁（１０３）に設置される［図４１（ｂ）参照］。
【０１５２】
＜各太陽電池パネルユニット（ＰＵ１〜ＰＵ３）・取外方法＞
次に、各太陽電池パネルユニット（ＰＵ１）〜（ＰＵ３）の取外方法（取外手順）について説明する。
【０１５３】
＜中段・太陽電池パネルユニット（ＰＵ２）・取外＞
第１乃至第３パネル取付体（Ｘ１）〜（Ｘ４）は、固定ナット（４１）を回動して、締付けを解除（締結解除）する。各固定位置（Ａ１）〜（Ａ４）において、固定ナット（４１）は、固定ボルト（４０）から取外す（図３５乃至図３８参照）。
続いて、中段・太陽電池パネルユニット（ＰＵ２）を各パネル取付体（１），（１）から持ち上げて、各第２パネル連結体（３），（３），…のナット収納穴（２４）から固定ボルト（４０）及び取付ナット（４２）を抜出す。
これにより、中段・太陽電池パネルユニット（ＰＵ２）を、第１パネル取付具（Ｘ１）〜（Ｘ４）から取出すことができる。
このとき、下段及び下段・太陽電池パネルユニット（ＰＵ１），（ＰＵ３）は、第２及び第３パネル取付具（Ｙ１），（Ｙ２），（Ｚ１），（Ｚ２）に固定されており、これら太陽電池パネルユニット（ＰＵ１），（ＰＵ３）を取外すことなく、中段・太陽電池パネルユニット（ＰＵ２）を取外すことができる。
【０１５４】
＜下段・太陽電池パネルユニット（ＰＵ１）・取外＞
中段・太陽電池パネルユニット（ＰＵ２）を取出した後、第３パネル取付具（Ｚ１），（Ｚ２）は、固定ナット（４１）を回動して、締付けを解除（締結解除）する。各固定位置（Ａ７），（Ａ８）において、固定ナット（４１）は、固定ボルト（４０）から取外す（図４０参照）。
続いて、下段・太陽電池パネルユニット（ＰＵ１）を各パネル取付体（１），（１）から持ち上げて、各第１パネル連結体（２），（２）のナット収納穴（２４）、及び各選択パネル連結体（３），（３）のナット収納穴（１４）から固定ボルト（４０）及び取付ナット（４２）を抜出す。
これにより、下段・太陽電池パネルユニット（ＰＵ１）を、第２パネル取付具（Ｙ１），（Ｙ２）及び第１パネル取付具（Ｘ１），（Ｘ２）から取外すことができる。
【０１５５】
＜上段・太陽電池パネルユニット（ＰＵ３）・取外＞
中段・太陽電池パネルユニット（ＰＵ２）を取外した後、第２パネル取付具（Ｙ１），（Ｙ２）は、固定ナット（４１）を回動して、締付けを解除（締結開除）する。各固定位置（Ａ５），（Ａ６）において、固定ナット（４１）は、固定ボルト（４０）から取外す（図３９参照）。
続いて、上段・太陽電池パネルユニット（ＰＵ３）を各パネル取付体（１），（１）から持ち上げて、各第２パネル連結体（２），（２）及び各選択パネル連結体（２），（２）のナット収納穴（１４）から固定ボルト（４０）及び取付ナット（４２）を抜出す。
これにより、上段・太陽電池パネルユニット（ＰＵ３）を、第２パネル取付具（Ｙ１），（Ｙ２）及び第１パネル取付具（Ｘ３），（Ｘ４）から取外すことができる。
【０１５６】
第１乃至第３実施形態のパネル取付具（Ｘ），（Ｙ），（Ｚ）では、複数の太陽電池パネルユニット（ＰＵ），（ＰＵ）…を１列×３行に並列する太陽電池アレイ（ＢＳ）について説明したが、これに限定されず、複数の太陽電池パネルユニット（ＰＵ），（ＰＵ）…をＮ列×ｎ行［Ｎ＝１，２，３，…（自然数）、ｎ＝１，２，３，…（自然数）］に並列して、太陽電池パネルアレイを構成しても良い。
第１パネル取付具（Ｘ）は、各太陽電池パネルユニット間に配置し、第２パネル取付具（Ｙ），（Ｚ）は、太陽電池アレイ外縁を構成する太陽電池パネルユニットに配置すれば良い。
【０１５７】
第１実施形態のパネル取付具（Ｘ）において、第1及び第２連結平板部（１０），（２０）は、連結表平面（１０ａ），（２０ａ）及び連結裏平面（１０ｂ），（２０ｂ）間で異なる板厚とする構成を採用できる。
これにより、複数の太陽電池パネルユニット（ＰＵ），（ＰＵ），…の太陽電池パネル（ＳＰ）は、上下方向（ＵＴ）において、段差を持って取付表平面（８ａ）に平行配置できる。
【０１５８】
第１乃至第３実施形態のパネル取付具（Ｘ），（Ｙ），（Ｚ）において、太陽電池パネルユニット（ＰＵ）を固定する適用例を説明したが、パネルユニット（ＰＵ）としては、太陽電池パネルユニットに限定されず、建材パネルユニットであっても良い。
建材パネルユニットは、例えば、外装パネル、断熱パネル等の建材パネル（矩形建材パネル）を有する。建材パネルユニット（ＫＰＵ）は、図９に示すように、太陽電池パネル（ＳＰ）に換えて、建材パネル（ＫＰ）で構成し、パネル枠（ＰＦ）を含んでなる。パネル枠（ＰＦ）は、建材パネル（ＫＰ）外縁を支持し、枠平板部（５２），（５３）を有する。
これにより、複数の建材パネルユニット（ＫＰＵ），（ＫＰＵ），…は、第１乃至第１０工程を実行することで、第１乃至第２パネル取付具（Ｘ１），（Ｘ２），…に固定できる。
【０１５９】
第１乃至第３実施形態のパネル取付具（Ｘ），（Ｙ），（Ｚ）では、パネルユニット（ＰＵ：太陽電池パネルユニット、建材パネルユニット）を固定する適用例について説明したが、例えば建材パネルを直接、第１乃至第３パネル取付具（Ｘ），（Ｙ），（Ｚ）に固定しても良い。
【０１６０】
図４２において、建材パネル（ＫＰ）は、矩形パネル（長方形パネル）に形成され、複数のパネル穴（６４），（６４），（６４），（６４）を有する。各パネル穴（６４），（６４），…は、建材パネル（ＫＰ）の長手方向（ＮＴ）に直交する上下方向（ＵＴ）において、建材パネル（ＫＰ）を挿通（貫通）している。
各パネル穴（６４），（６４）は、建材パネル（ＫＰ）の一方長辺側に位置して、長手方向（ＮＴ）に間隔：Ｐを隔てて配置される。各パネル穴（６４），（６４）は、建材パネル（ＫＰ）の他方長辺側に位置して、長手方向（ＮＴ）に間隔：Ｐを隔てて配置される。
建材パネル（ＫＰ）は、図４３に示すように、例えば、１列×３行に複数配置して、建材パネルアレイ（ＢＳ）を形成する。
【０１６１】
複数の建材パネル（ＫＰ），（ＫＰ），…は、複数の太陽電池パネルユニット（ＰＵ１）〜（ＰＵ３）と同様、第１乃至第１０工程を実行することで、各固定位置（Ａ１）〜（Ａ８）において、第１乃至第３パネル取付具（Ｘ１），（Ｘ２），…に固定される。
これにより、第１乃至第３パネル取付具（Ｘ１），（Ｘ２），…は、図４３に示すように、複数の建材パネル（ＫＰ）を固定して、建材パネル組立体（ＢＳＳ）を構成する。また、第１乃至第３パネル取付体（Ｘ１），（Ｘ２），…は、複数の建材パネル（ＫＰ），（ＫＰ），…を固定するパネル取付システム（ＰＳＳ）を構成する（図４３参照）
【０１６２】
なお、第３乃至第６工程において、第１パネル連結体（２）及び選択パネル連結体（２）は、図４４及び図４５に示すように、第１連結平板部（１０）の連結表平面（１０ａ）を建材パネル（ＫＰ）の裏平面（６５ｂ）に当接して平行配置する。
第１連結ボルト（３０）は、図４４及び図４５に示すように、ネジ軸部（３０Ａ）を平座金（３２）、建材パネル（ＫＰ）のパネル穴（６４）、第１連結平板部（１０）の連結穴（１２）、平座金（３３）及びバネ座金（３４）を挿通して、バネ座金（３４）から突出させる。
これにより、第１連結ボルト（３０）の六角頭部（３０Ｂ：ボルト頭部）及び第１連結ナット（３１）で建材パネル（ＫＰ）及び第１連結平板部（１０）等を締結（締付け挟持）して、第１パネル連結体（２）、選択パネル連結体（２）を直接、建材パネル（ＫＰ）に固定する。
【０１６３】
また、第３乃至第６工程において、第２パネル連結体（３）及び選択パネル連結体（３）は、図４４及び図４５に示すように、第２連結平板部（２０）の連結表平面（２０ａ）を建材パネル（ＫＰ）の裏平面（６５ｂ）に当接して平行配置する。
第２連結ボルト（３５）は、図４４及び図４５に示すように、ネジ軸部（３５Ａ）を平座金（３７）、建材パネル（ＫＰ）のパネル穴（６４）、第２連結平板部（２１）の連結穴（２２）、平座金（３８）及びバネ座金（３９）を挿通して、バネ座金（３９）から突出させる。
これにより、第２連結ボルト（３５）の六角頭部（３５Ｂ：ボルト頭部）及び第２連結ナット（３６）で建材パネル（ＫＰ）及び第２連結平板部（２０）等を締結（締付け挟持）して、第２パネル連結体（３）、選択パネル連結体（３）を直接、建材パネル（ＫＰ）に固定する。
【産業上の利用可能性】
【０１６４】
本考案は、太陽電池パネルユニット、建材パネル等を固定するのに最適である。
【符号の説明】
【０１６５】
Ｘ  第１パネル取付具（第１実施形態）
１  パネル取付体
２  第１パネル連結体（選択パネル連結体）
３  第２パネル連結体（選択パネル連結体）
４  第１締結体
５  第２締結体
６  固定締結体
１０  第１連結平板部
１１  第２固定平板部
２０  第２連結平板部
２１  第２固定平板部
３０  第１連結ボルト
３１  第１連結ナット
３５  第２連結ボルト
３６  第２連結ナット
４０  固定ボルト
４１  固定ナット
【図１】
0003180209.tif 000003
【図２】
0003180209.tif 000004
【図３】
0003180209.tif 000005
【図４】
0003180209.tif 000006
【図５】
0003180209.tif 000007
【図６】
0003180209.tif 000008
【図７】
0003180209.tif 000009
【図８】
0003180209.tif 000010
【図９】
0003180209.tif 000011
【図１０】
0003180209.tif 000012
【図１１】
0003180209.tif 000013
【図１２】
0003180209.tif 000014
【図１３】
0003180209.tif 000015
【図１４】
0003180209.tif 000016
【図１５】
0003180209.tif 000017
【図１６】
0003180209.tif 000018
【図１７】
0003180209.tif 000019
【図１８】
0003180209.tif 000020
【図１９】
0003180209.tif 000021
【図２０】
0003180209.tif 000022
【図２１】
0003180209.tif 000023
【図２２】
0003180209.tif 000024
【図２３】
0003180209.tif 000025
【図２４】
0003180209.tif 000026
【図２５】
0003180209.tif 000027
【図２６】
0003180209.tif 000028
【図２７】
0003180209.tif 000029
【図２８】
0003180209.tif 000030
【図２９】
0003180209.tif 000031
【図３０】
0003180209.tif 000032
【図３１】
0003180209.tif 000033
【図３２】
0003180209.tif 000034
【図３３】
0003180209.tif 000035
【図３４】
0003180209.tif 000036
【図３５】
0003180209.tif 000037
【図３６】
0003180209.tif 000038
【図３７】
0003180209.tif 000039
【図３８】
0003180209.tif 000040
【図３９】
0003180209.tif 000041
【図４０】
0003180209.tif 000042
【図４１】
0003180209.tif 000043
【図４２】
0003180209.tif 000044
【図４３】
0003180209.tif 000045
【図４４】
0003180209.tif 000046
【図４５】
0003180209.tif 000047